(57)【要約】【課題】  多重化されたメインストリームとは別個に、多重化していないオーディオストリーム及び／またはサブピクチャー・ストリームとインタラクティブ・グラフィック・ストリームとを別途に作った情報保存媒体、その情報保存媒体を再生する装置及び方法を提供する。【解決手段】  ＡＶデータを記録した情報保存媒体は、多重化されたＡＶデータと、多重化されていないオーディオストリーム及び／または多重化されていないサブピクチャー・ストリーム、インタラクティブ・グラフィック・ストリームを含む。多重化ビットレートの制約を受けずにさらに多くのオーディオ、サブピクチャー・ストリーム及び／またはインタラクティブ・グラフィック・ストリームを支援でき、継続的な再生が可能で、かつビデオの画質を向上させうる。【選択図】      図２ 
2005117660.tif 000002
【特許請求の範囲】
【請求項１】
ＡＶデータを記録した情報保存媒体において、
多重化されたＡＶデータと、
多重化されていないオーディオストリーム及び／または多重化されていないサブピクチャー・ストリームとを含むことを特徴とする情報保存媒体。
【請求項２】
前記多重化されていないオーディオストリーム及び／または多重化されていないサブピクチャー・ストリームは前記多重化されたＡＶデータに対応するビデオデータと同期を合わせるための同期化情報を含むことを特徴とする請求項１に記載の情報保存媒体。
【請求項３】
前記多重化されていないオーディオストリーム及び／または多重化されていないサブピクチャー・ストリームは前記多重化されたＡＶデータに対応するビデオデータと同期を合わせるための同期化情報を参照して再生されることを特徴とする請求項１に記載の情報保存媒体。
【請求項４】
多重化されていないインタラクティブ・グラフィック・ストリームをさらに含むことを特徴とする請求項１に記載の情報保存媒体。
【請求項５】
前記多重化されていないストリームが前記情報保存媒体に含まれているか否かを示す情報をさらに含むことを特徴とする請求項１に記載の情報保存媒体。
【請求項６】
前記情報保存媒体の記録容量は８個の相異なるオーディオストリーム及び／または３２個の相異なるサブピクチャーストリーム以上であることを特徴とする請求項１に記載の情報保存媒体。
【請求項７】
（ａ）多重化されていないオーディオ、サブピクチャーストリーム及び／またはインタラクティブ・グラフィック・ストリームとを記録する段階と、
（ｂ）多重化されているオーディオ、サブピクチャーストリーム及び／またはインタラクティブ・グラフィック・ストリームを、前記多重化されていないオーディオ、サブピクチャーストリーム及び／またはインタラクティブ・グラフィック・ストリームとは別個に記録する段階とを含むことを特徴とするＡＶデータ保存方法。
【請求項８】
前記多重化されていないオーディオ及び／またはサブピクチャーストリームは複数のオーディオ及び／またはサブピクチャーストリームを各々含むことを特徴とする請求項７に記載のＡＶデータ保存方法。
【請求項９】
（ａ）多重化されていないオーディオ、サブピクチャーストリーム及び／またはインタラクティブ・グラフィック・ストリームと多重化されたオーディオ、サブピクチャーストリーム及び／またはインタラクティブ・グラフィック・ストリームを読出し、多重化されていないオーディオ、サブピクチャーストリーム及び／またはインタラクティブ・グラフィック・ストリームをローカル保存部に保存する段階と、
（ｂ）前記多重化されたオーディオ、サブピクチャーストリーム及び／またはインタラクティブ・グラフィック・ストリームをＤＥＭＵＸする段階と、
（ｃ）前記多重化されていないオーディオ、サブピクチャーストリーム及び／またはインタラクティブ・グラフィック・ストリームと前記ＤＥＭＵＸされて分離されたオーディオ、サブピクチャーストリーム及び／またはインタラクティブ・グラフィック・ストリームとをユーザの選択によって選択し、デコーディングする段階とを含むことを特徴とするＡＶデータ再生方法。
【請求項１０】
前記（ａ）段階以前に、
多重化されていないオーディオ、サブピクチャー・ストリーム及び／またはインタラクティブ・グラフィック・ストリームの存否に関する情報を受信する段階をさらに含むことを特徴とする請求項９に記載のＡＶデータの再生方法。
【請求項１１】
（ｄ）  前記デコーディング後に前記多重化されていないオーディオ、サブピクチャー・ストリーム及び／またはインタラクティブ・グラフィック・ストリームが保存された保存部のデータ削除如何を判断する段階をさらに含むことを特徴とする請求項９に記載のＡＶデータの再生方法。
【請求項１２】
前記（ａ）段階は、
Ｖデータをダウンロードする段階をさらに含み、
前記多重化されたオーディオ、サブピクチャーストリーム及び／またはインタラクティブ・グラフィック・ストリームはメディアに記録されており、前記多重化されていないオーディオ、サブピクチャーストリーム及び／またはインタラクティブ・グラフィック・ストリームは前記メディアに記録されていないことを特徴とする請求項９に記載のＡＶデータの再生方法。
【請求項１３】
前記メディアはＤＶＤ規格によって作られた保存媒体であることを特徴とする請求項１２に記載のＡＶデータの再生方法。
【請求項１４】
ＡＶデータを読出す読出部と、
前記読出したＡＶデータのうち多重化されていないオーディオ、サブピクチャー・ストリーム及び／またはインタラクティブ・グラフィック・ストリームを保存するローカル保存部と、
前記読出したＡＶデータのうち多重化されたＡＶデータを保存してＤＥＭＵＸするデータ処理部と、
前記多重化されていないオーディオ、サブピクチャー・ストリーム及び／またはインタラクティブ・グラフィック・ストリームまたは前記ＤＥＭＵＸされて出力されたオーディオ、サブピクチャー・ストリーム及び／またはインタラクティブ・グラフィック・ストリームの選択を制御する制御部と、
前記制御部の制御信号によってオーディオ、サブピクチャー・ストリーム及び／またはインタラクティブ・グラフィック・ストリームを出力するスイッチと、
前記出力されたサブピクチャー・ストリーム、オーディオストリーム及びビデオストリーム、インタラクティブ・グラフィック・ストリームをデコーディングして出力するデコーダとを含むことを特徴とするＡＶデータ再生装置。
【請求項１５】
前記ローカル保存部は、
情報保存媒体が、再生装置に挿入されれば初期アクセス時にプリローディングによって多重化されていないオーディオ、サブピクチャー・ストリーム及び／またはインタラクティブ・グラフィック・ストリームを保存することを特徴とする請求項１４に記載のＡＶデータ再生装置。
【請求項１６】
前記ローカル保存部に保存されたデータの削除及び保存を制御するローカル保存管理部をさらに含むことを特徴とする請求項１４に記載のＡＶデータ再生装置。
【請求項１７】
前記ローカル保存管理部は、
前記情報保存媒体が再生装置から排出されれば、データが削除されるように前記ローカル保存部を制御することを特徴とする請求項１６に記載のＡＶデータ再生装置。
【請求項１８】
前記ローカル保存管理部は、
前記ローカル保存部に保存されたデータを保存し続けるか否かをユーザインターフェースを通じて提供して選択され、ユーザの選択によってデータを削除するか、保存するように前記ローカル保存部を制御することを特徴とする請求項１６に記載のＡＶデータ再生装置。
【請求項１９】
前記データ処理部は、
前記ローカル保存部からの多重化されていないオーディオ、サブピクチャー・ストリーム及び／またはインタラクティブ・グラフィック・ストリームをバッファリングする第１バッファと、
前記読出された多重化されたＡＶストリームをバッファリングする第２バッファと、
前記バッファリングされたＡＶストリームをＤＥＭＵＸするＤＥＭＵＸ部とを含むことを特徴とする請求項１４に記載のＡＶデータ再生装置。
【請求項２０】
前記制御部は、
ユーザまたはプログラムにより、多重化された、または多重化されていないオーディオ、サブピクチャー及び／またはインタラクティブ・グラフィック・ストリームのうち選択を行うためにスイッチ部を制御し、オーディオ、サブピクチャー・ストリーム及び／またはインタラクティブ・グラフィック・ストリームに含まれるか、参照している同期化情報によって前記多重化されたＡＶストリームと同期されて再生されるように前記デコーダを制御することを特徴とする請求項１４に記載のＡＶデータ再生装置。
【請求項２１】
前記読出部は、
ＡＶデータをダウンロードし、
前記多重化されたオーディオ、サブピクチャーストリーム及び／またはインタラクティブ・グラフィック・ストリームはメディアに記録されており、前記多重化されていないオーディオ、サブピクチャーストリーム及び／またはインタラクティブ・グラフィック・ストリームは前記メディアに記録されていないことを特徴とする請求項１４に記載のＡＶデータ再生装置。
【請求項２２】
前記メディアはＤＶＤ規格によって作られた保存媒体であることを特徴とする請求項２１に記載のＡＶデータ再生装置。
【請求項２３】
（ａ）  多重化されていないオーディオ、サブピクチャー・ストリーム及び／またはインタラクティブ・グラフィック・ストリームを記録する段階と、
（ｂ）  多重化されているオーディオ、サブピクチャーストリーム及び／またはインタラクティブ・グラフィック・ストリームを、前記多重化されていないオーディオ、サブピクチャーストリーム及び／またはインタラクティブ・グラフィック・ストリームとは別個に記録する段階とを含むことを特徴とするＡＶデータ保存方法をコンピュータで実行させるためのプログラムを記録したコンピュータ可読記録媒体。
【請求項２４】
（ａ）  多重化されていないオーディオ、サブピクチャー・ストリーム及び／またはインタラクティブ・グラフィック・ストリームと多重化されたオーディオ、サブピクチャー・ストリーム及び／またはインタラクティブ・グラフィック・ストリームを読出し、多重化されていないオーディオ、サブピクチャー・ストリーム及び／またはインタラクティブ・グラフィック・ストリームをローカル保存部に保存する段階と、
（ｂ）  前記多重化されたオーディオ、サブピクチャー・ストリーム及び／またはインタラクティブ・グラフィック・ストリームをＤＥＭＵＸする段階と、
（ｃ）  前記多重化されていないオーディオ、サブピクチャー・ストリーム及び／またはインタラクティブ・グラフィック・ストリームと前記ＤＥＭＵＸされて分離されたオーディオ、サブピクチャー・ストリーム及び／またはインタラクティブ・グラフィック・ストリームをユーザの選択によって選択し、デコーディングする段階と、を含むことを特徴とするＡＶデータの再生方法をコンピュータで実行させるためのプログラムを記録したコンピュータ可読記録媒体。
【請求項２５】
（ａ）多重化されていないオーディオ、サブピクチャーストリーム及び／またはインタラクティブ・グラフィック・ストリームを記録する段階と、
（ｂ）多重化されているビデオと、オーディオ、サブピクチャーストリーム及び／またはインタラクティブ・グラフィック・ストリームを記録する段階とを含み、前記（ｂ）段階は前記多重化されていないオーディオ、サブピクチャーストリーム及び／またはインタラクティブ・グラフィック・ストリームが、前記記録された多重化されたビデオ、オーディオ、サブピクチャー及び／またはインタラクティブ・グラフィック・ストリームの多重化ビットレートと独立して同期されて前記多重化されたビデオと共にデコーディングされるように記録する段階を含むことを特徴とするＡＶデータ保存方法。
【請求項２６】
（ａ）多重化されていないオーディオ、サブピクチャーストリーム及び／またはインタラクティブ・グラフィック・ストリームと、多重化されたビデオ、オーディオ、サブピクチャーストリーム及び／またはインタラクティブ・グラフィック・ストリームを読出す段階と、
（ｂ）前記多重化されたビデオ、オーディオ、サブピクチャーストリーム及び／またはインタラクティブ・グラフィック・ストリームをＤＥＭＵＸする段階と、
（ｃ）前記多重化されていないオーディオ、サブピクチャーストリーム及び／またはインタラクティブ・グラフィック・ストリームと、前記ＤＥＭＵＸされて分離されたオーディオ、サブピクチャーストリーム及び／またはインタラクティブ・グラフィック・ストリームをユーザの選択によって選択する段階と、
（ｄ）前記選択されたストリームとＤＥＭＵＸされたビデオを再生する段階と、を含み、前記（ｄ）段階は前記多重化されていないオーディオ、サブピクチャーストリーム及び／またはインタラクティブ・グラフィック・ストリームが、前記多重化されたビデオ、オーディオ、サブピクチャー及び／またはインタラクティブ・グラフィック・ストリームの多重化ビットレートと独立して同期されて前記ＤＥＭＵＸされたビデオと共にデコーディングされることを含むことを特徴とするＡＶデータ再生方法。
【請求項２７】
ＡＶデータを記録した情報保存媒体において、
多重化されたＡＶデータと、
多重化されていないオーディオストリーム及び／またはサブピクチャーストリームを含み、前記多重化されていないオーディオ及び／またはサブピクチャーストリームは、前記多重化されたＡＶデータの多重化ビットレートと独立して同期されて前記多重化されたＡＶデータに含まれたビデオと共にデコーディングされることを特徴とする情報保存媒体。
【請求項２８】
ＡＶデータを読出す読出部と、
前記読出したＡＶデータのうち多重化されたＡＶデータをＤＥＭＵＸするデータ処理部と、
多重化されていないオーディオ、サブピクチャーストリーム及び／またはインタラクティブ・グラフィック・ストリームまたは、前記ＤＥＭＵＸされて出力されたビデオ、オーディオ、サブピクチャーストリーム及び／またはインタラクティブ・グラフィック・ストリームの選択を制御する制御部と、
前記制御部の制御信号によってオーディオ、サブピクチャーストリーム及び／またはインタラクティブ・グラフィック・ストリームを出力するスイッチと、
前記出力されたオーディオ、サブピクチャー及びインタラクティブ・グラフィック・ストリームとビデオストリームをデコーディングして出力するデコーダと、を含み、前記多重化されていないオーディオ、サブピクチャーストリーム及び／またはインタラクティブ・グラフィック・ストリームは前記多重化されたＡＶデータの多重化ビットレートと独立して同期されて前記ＤＥＭＵＸされたビデオと共にデコーディングされることを特徴とするＡＶデータ再生装置。
【発明の詳細な説明】
【技術分野】
【０００１】
本発明はＡＶデータの再生に係り、特に多重化されたメインストリームとは別個に、多重化していないオーディオストリーム及び／またはサブピクチャー・ストリームとインタラクティブ・グラフィック・ストリームとを別途に作った情報保存媒体、その情報保存媒体を再生する装置及び方法に関する。
【背景技術】
【０００２】
ＡＶデータをなしているデータとしては、ビデオデータ、オーディオデータ、サブピクチャーデータ、インタラクティブ・グラフィック・データなどがあり、それらデータは所定サイズのパケットに作られた後、多重化されてトランスポートストリームまたはプログラムストリームの形で転送、及び保存され、多重化されていないままで別途のストリームとして作られることもある。多重化された場合に、多重化されている１つのビットストリームは１つのビデオストリームに対応して複数個のオーディオストリーム及びサブピクチャー・ストリームを含んでいる。オーディオストリーム及びサブピクチャー・ストリームの数は多重化ビットレートによって決まる。
【０００３】
ＤＶＤで最大多重化ビットレートは１０．０８Ｍｂｐｓと決まっており、この中、ビデオストリームが占めうるビットレートは、ＭＰＥＧ−２ビデオの場合には最大９．８Ｍｂｐｓ（ＭＰＥＧ−１は最大１．８５６Ｍｂｐｓ以下）となる。したがって、残り０．２８Ｍｂｐｓを複数個のオーディオとサブピクチャー・ストリームとの多重化に用いる。ＤＶＤの場合、オーディオストリームは最大８個、サブピクチャー・ストリームは最大３２個が多重化されうるが、既定の多重化ビットレートによって多様なオーディオストリームとサブピクチャー・ストリームとを多重化するには、ビデオに割当てられる多重化ビットレートを減らさねばならないので画質が低下する。したがって、高画質を保持するためには、ＤＶＤ標準で提示した数、すなわち、８個のオーディオストリーム及び３２個のサブピクチャー・ストリームの全てを多重化することはできず、２〜３個のオーディオストリームと４〜５個のサブピクチャー・ストリームしか多重化できないという問題点がある。
【発明の開示】
【発明が解決しようとする課題】
【０００４】
したがって、本発明が解決しようとする技術的課題は、既定の多重化ビットレートでビデオの画質を最大限保持しつつできるだけ多数のオーディオ及び／またはサブピクチャー・ストリームを提供するために、多重化していないオーディオ及び／またはサブピクチャー・ストリームを記録した情報保存媒体、その再生装置及び方法を提供することである。
【０００５】
本発明が解決しようとする他の技術的課題は、多重化されたメインストリームとは別個に、多重化していないインタラクティブ・グラフィック・ストリームを記録した情報保存媒体、その再生装置及び方法を提供することである。
【課題を解決するための手段】
【０００６】
前記技術的課題は本発明によって、多重化されたＡＶデータと、多重化されていないオーディオストリーム及び／または多重化されていないサブピクチャー・ストリームを含む情報保存媒体により達成される。
【０００７】
前記多重化されていないオーディオストリーム及び／または多重化されていないサブピクチャー・ストリームは前記多重化されたＡＶデータに対応するビデオデータと同期を合わせるための同期化情報を含むことが望ましい。
【０００８】
一方、本発明の他の分野によれば、前記技術的課題は、（ａ）多重化されていないオーディオ、サブピクチャー・ストリーム及び／またはインタラクティブ・グラフィック・ストリームを記録する段階と、（ｂ）多重化されているオーディオ、サブピクチャー・ストリーム及び／またはインタラクティブ・グラフィック・ストリームを。前記多重化されていないオーディオ、サブピクチャー・ストリーム及び／またはインタラクティブ・グラフィック・ストリームは別個に記録する段階とを含むことを特徴とするＡＶデータ保存方法によっても達成される。
【０００９】
一方、本発明の他の分野によれば、前記技術的課題は、（ａ）多重化されていないオーディオ、サブピクチャー・ストリーム及び／またはインタラクティブ・グラフィック・ストリームと、多重化されたオーディオ、サブピクチャー・ストリーム及び／またはインタラクティブ・グラフィック・ストリームを読出し、多重化されていないオーディオ、サブピクチャー・ストリーム及び／またはインタラクティブ・グラフィック・ストリームをローカル保存部にあらかじめ保存する段階と、（ｂ）前記多重化されたオーディオ、サブピクチャー・ストリーム及び／またはインタラクティブ・グラフィック・ストリームをＤＥＭＵＸする段階と、（ｃ）前記多重化されていないオーディオ、サブピクチャー・ストリーム及び／またはインタラクティブ・グラフィック・ストリームと前記ＤＥＭＵＸされて分離されたオーディオまたはサブピクチャー・ストリーム及びインタラクティブ・グラフィック・ストリームとをユーザの選択によって選択し、デコーディングする段階とを含むことを特徴とするＡＶデータ再生方法によっても達成される。
【００１０】
一方、本発明の他の分野によれば、前記技術的課題は、ＡＶデータを読出す読出部と、前記読出したＡＶデータのうち多重化されていないオーディオ、サブピクチャー・ストリーム及び／またはインタラクティブ・グラフィック・ストリームを保存するローカル保存部と、前記読出したＡＶデータのうち多重化されたＡＶデータを保存してＤＥＭＵＸするデータ処理部と、前記多重化されていないオーディオ、サブピクチャー・ストリーム及び／またはインタラクティブ・グラフィック・ストリームまたは前記ＤＥＭＵＸされて出力されたオーディオ、サブピクチャー・ストリーム及び／またはインタラクティブ・グラフィック・ストリームの選択を制御する制御部と、前記制御部の制御信号によってオーディオ、サブピクチャー・ストリーム及び／またはインタラクティブ・グラフィック・ストリームを出力するスイッチと、前記出力されたサブピクチャー・ストリーム、オーディオストリーム及びビデオストリーム、インタラクティブ・グラフィック・ストリームをデコーディングして出力するデコーダとを含むことを特徴とするＡＶデータ再生装置によっても達成される。
【００１１】
また、前記ローカル保存部は、情報保存媒体が、再生装置に挿入されれば、初期アクセス時にプリローディングによって多重化されていないオーディオ、サブピクチャー・ストリーム及び／またはインタラクティブ・グラフィック・ストリームを保存することが望ましい。
【００１２】
また、前記ローカル保存部に保存されたデータの削除及び保存を制御するローカル保存管理部をさらに含むことが望ましく、前記ローカル保存管理部は前記情報保存媒体が再生装置から排出されれば、削除されるように前記ローカル保存部を制御するか、前記ローカル保存部に保存されたデータを保存し続けるか否かをユーザインターフェースを通じて提供して選択され、ユーザの選択によってデータを削除するか、保存するように制御することが望ましい。
【００１３】
また、本発明の他の分野によれば、前記技術的課題は、（ａ）  多重化されていないオーディオ、サブピクチャーストリーム及び／またはインタラクティブ・グラフィック・ストリームを記録する段階と、（ｂ）  多重化されているビデオと、オーディオ、サブピクチャーストリーム及び／またはインタラクティブ・グラフィック・ストリームを記録する段階とを含み、前記（ｂ）段階は前記多重化されていないオーディオ、サブピクチャーストリーム及び／またはインタラクティブ・グラフィック・ストリームが、前記記録された多重化されたビデオ、オーディオ、サブピクチャー及び／またはインタラクティブ・グラフィック・ストリームの多重化ビットレートと独立して同期されて前記多重化されたビデオと共にデコーディングされるように記録する段階を含むことを特徴とするＡＶデータ保存方法によっても達成される。
【００１４】
また、本発明の他の分野によれば、前記技術的課題は、（ａ）多重化されていないオーディオ、サブピクチャーストリーム及び／またはインタラクティブ・グラフィック・ストリームと、多重化されたビデオ、オーディオ、サブピクチャーストリーム及び／またはインタラクティブ・グラフィック・ストリームを読出す段階と、（ｂ）前記多重化されたビデオ、オーディオ、サブピクチャーストリーム及び／またはインタラクティブ・グラフィック・ストリームをＤＥＭＵＸする段階と、（ｃ）前記多重化されていないオーディオ、サブピクチャーストリーム及び／またはインタラクティブ・グラフィック・ストリームと、前記ＤＥＭＵＸされて分離されたオーディオ、サブピクチャーストリーム及び／またはインタラクティブ・グラフィック・ストリームをユーザの選択によって選択する段階と、（ｄ）前記選択されたストリームとＤＥＭＵＸされたビデオを再生する段階と、を含み、前記（ｄ）段階は前記多重化されていないオーディオ、サブピクチャーストリーム及び／またはインタラクティブ・グラフィック・ストリームが、前記多重化されたビデオ、オーディオ、サブピクチャー及び／またはインタラクティブ・グラフィック・ストリームの多重化ビットレートと独立して同期されて前記ＤＥＭＵＸされたビデオと共にデコーディングされることを含むことを特徴とするＡＶデータ再生方法によっても達成される。
【００１５】
また、本発明の他の分野によれば、前記技術的課題は、ＡＶデータを記録した情報保存媒体において、多重化されたＡＶデータと、多重化されていないオーディオストリーム及び／またはサブピクチャーストリームを含み、前記多重化されていないオーディオ及び／またはサブピクチャーストリームは、前記多重化されたＡＶデータの多重化ビットレートと独立して同期されて前記多重化されたＡＶデータに含まれたビデオと共にデコーディングされることを特徴とする情報保存媒体によっても達成される。
【００１６】
また、本発明の他の分野によれば、前記技術的課題は、ＡＶデータを読出す読出部と、前記読出したＡＶデータのうち多重化されたＡＶデータをＤＥＭＵＸするデータ処理部と、多重化されていないオーディオ、サブピクチャーストリーム及び／またはインタラクティブ・グラフィック・ストリームまたは、前記ＤＥＭＵＸされて出力されたビデオ、オーディオ、サブピクチャーストリーム及び／またはインタラクティブ・グラフィック・ストリームの選択を制御する制御部と、前記制御部の制御信号によってオーディオ、サブピクチャーストリーム及び／またはインタラクティブ・グラフィック・ストリームを出力するスイッチと、前記出力されたオーディオ、サブピクチャー及びインタラクティブ・グラフィック・ストリームとビデオストリームをデコーディングして出力するデコーダと、を含み、前記多重化されていないオーディオ、サブピクチャーストリーム及び／またはインタラクティブ・グラフィック・ストリームは前記多重化されたＡＶデータの多重化ビットレートと独立して同期されて前記ＤＥＭＵＸされたビデオと共にデコーディングされることを特徴とするＡＶデータ再生装置によっても達成される。
【００１７】
前記課題を達成するために本発明では、前記方法をコンピュータで実行させるためのプログラムを記録したコンピュータ可読記録媒体を提供する。
【発明の効果】
【００１８】
本発明によるＡＶデータ再生方法及び装置は、次のような効果を提供する。
【００１９】
第１に、多重化ビットレートの制約を受けずにさらに多くのオーディオ、サブピクチャー・ストリーム及び／またはインタラクティブ・グラフィック・ストリームを支援可能となり、第２に、多重化されていないオーディオ及び／またはサブピクチャー・ストリーム、及びインタラクティブ・グラフィック・ストリームを情報保存媒体に保存することによって、ネットワークの接続なしにも動作できる。第３に、多重化されるビットストリームにオーディオ、サブピクチャー・ストリーム及び／またはインタラクティブ・グラフィック・ストリームをより少なく保存できるので、ビデオストリームにさらに多くのビットレートを割当てられるようになって高画質の動映像を提供でき、第４に、ローカル保存装置を通じて２つの読出しチャンネルを確保することによって動映像の継続的な再生を保証できる。
【発明を実施するための最良の形態】
【００２０】
以下、添付した図面を参照して本発明に係る望ましい一実施例を詳細に説明する。
【００２１】
図１は多重化していないオーディオストリーム、サブピクチャー・ストリーム及びインタラクティブ・グラフィック・ストリームの再生を説明するための図である。オーディオストリーム、サブピクチャー・ストリームまたはインタラクティブ・グラフィック・ストリームをビデオストリームと共に多重化でき、一部は多重化せずに情報保存媒体に別途に保存することが分かる。
【００２２】
ＡＶデータはそのデータ量がぼう大なために時空間で圧縮されて記録される。このような圧縮方法としては、ＩＳＯ／ＩＥＣジョイント標準化グループで定めたＭＰＥＧ符号化方法が最も多く使われ、ビデオデータと共に符号化されるオーディオデータもＭＰＥＧで定めた符号化方法で圧縮されることもあり、線形ＰＣＭのような圧縮していないデジタルデータをそのまま使用しても良い。サブピクチャーデータは複数のラインよりなったデータの集合であると見られるが、符号化は各ライン別にラン・レングス符号化が行われる。
【００２３】
一方、テキスト基盤のサブピクチャーの場合にはデータ量がビットマップ基盤のサブピクチャーに比べて非常に小さいために特別な符号化なしにファイルの形に保存されうる。このように符号化されたデータは相互同期化されねばならない時間情報がさらに付加されてＭＰＥＧ−２符号化方法によってシステム多重化されるか、または自体的に同期化情報を別途に含んでビデオデータと多重化されずに別個のストリームやファイル状に製作される。
【００２４】
また、メニューの具現のためのインタラクティブ・グラフィック・ストリームもビデオストリームとは別個に存在しうる。インタラクティブ・グラフィック・ストリームはユーザとの相互作用のためのボタンなどよりなるメニューを提供するためのグラフィックストリームである。
【００２５】
この際、ビデオストリームと共に多重化されていないオーディオストリーム、サブピクチャー・ストリーム及びインタラクティブ・グラフィック・ストリームは多重化ビットレートとは関係ないために、情報保存媒体の容量が非常に大きければ、オーディオストリーム及びサブピクチャー・ストリームの数とインタラクティブ・グラフィック・ストリームの大きさとに制限がない。
【００２６】
デジタル化されたビデオ、オーディオ、サブピクチャーデータ及びインタラクティブ・グラフィック・ストリームデータは各々ビデオ符号化部１１０、オーディオ符号化部１２０、サブピクチャー符号化部１３０及びインタラクティブ・グラフィック・ストリーム符号化部１９０に入力されて各々符号化される。そして、符号化されたそれぞれのデータは適当な大きさに切ってパケット化するために各々ビデオパケッタイザ１４０、オーディオパケッタイザ１５０、サブピクチャーパケッタイザ１６０及びインタラクティブ・グラフィック・ストリームパケッタイザ１９２に伝えられる。それぞれのパケッタイザ１４０ないし１６０、１９０は入力されたデータをＰＥＳ（Ｐａｃｋｅｔｉｚｅｄ  Ｅｌｅｍｅｎｔａｒｙ  Ｓｔｒｅａｍ）パケットに作る。このようなＰＥＳパケットはプログラムストリーム多重化部１７０またはトランスポートストリーム多重化部１８０に入力される。すなわち、プログラムストリームに作るためにはプログラムストリーム多重化部１７０に伝えられ、トランスポートストリームに作るためにはトランスポートストリーム多重化部１８０に伝えられる。そして、一部のオーディオパケットとサブピクチャーパケット及びインタラクティブ・グラフィック・ストリームは多重化されずに外部に出力されて情報保存媒体に保存される。
【００２７】
すなわち、本発明の情報保存媒体は多重化されたプログラムストリーム及びトランスポートストリームだけでなく、多重化されていない複数のオーディオ、サブピクチャー・ストリーム及び／またはインタラクティブ・グラフィック・ストリームを含む。多重化されない複数のオーディオ、サブピクチャー・ストリーム及び／またはインタラクティブ・グラフィック・ストリームは情報保存媒体に記録されずに、ネットワークを通じてサーバーなどに保存されていてダウンロードされて再生されることもあるが、この場合にはネットワークが安定的でなければならない。
【００２８】
そして、本発明による情報保存媒体がプログラムストリームまたはトランスポートストリームのようなメインストリームとは別途にオーディオ、サブピクチャー・ストリーム及び／またはインタラクティブ・グラフィック・ストリームを含んでいる場合には、再生装置にその事実を知らせなければならない。このために情報保存媒体は、メインストリームと別途に存在するストリームの有無を知らせる情報をさらに含んでおり、このような情報は情報保存媒体に含まれているオーディオ及び／またはサブピクチャー・ストリームとインタラクティブ・グラフィック・ストリームの数及び該当ストリームの位置情報とデータ大きさ情報などを含んでいる。
【００２９】
そして、このようなストリーム有無情報は、ユーザにタイトル単位の接続を許容するために存在するシステムデータの一種であるインデックステーブルに含まれうる。すなわち、インデックステーブル内での１つのフィールドに記録されていることもある。インデックステーブルにより区分されるタイトルはユーザが認知できる１つの論理的な再生グループであって、相異なるタイトル間には一般的に共有する情報がない。したがって、インデックステーブル内のタイトル単位で前記追加ストリーム情報を含ませることによってタイトルを転換する度に該当タイトルで使われるストリームをローカル保存部に読込むものである。ストリームの有無情報を記録する他の方法として、インデックステーブルとは別個のファイルに備えても良い。
【００３０】
図２は、本発明のＡＶデータ再生装置のブロック図である。
【００３１】
本発明のＡＶデータ再生装置は、読出部２１０、ローカル保存部２２０、データ処理部２３０、制御部２４０、第１スイッチ２５０ａ、第２スイッチ２５０ｂ、第３スイッチ２５０ｃ、デコーダ２５５及びローカル保存管理部２９０を備える。データ処理部２３０は第１バッファ２３１、第２バッファ２３２及びＤＥＭＵＸ部２３３を含む。デコーダ２５５はサブピクチャーデコーダ２６０、オーディオデコーダ２７０、インタラクティブ・グラフィック・ストリームデコーダ２７５及びビデオデコーダ２８０を含む。
【００３２】
読出部２１０は多重化されているＡＶデータ及び多重化されていないオーディオ、サブピクチャー・ストリーム及び／またはインタラクティブ・グラフィック・ストリームを読込んでローカル保存部２２０またはデータ処理部２３０に伝達する。一方、多重化されていないオーディオ、サブピクチャー・ストリーム及び／またはインタラクティブ・グラフィック・ストリームは情報保存媒体ではないネットワークを通じてもダウンロードされうる。
【００３３】
図２を参照すれば、情報保存媒体またはネットワークを通じて読込んだ多重化されていないオーディオ、サブピクチャー・ストリーム及び／またはインタラクティブ・グラフィック・ストリームはローカル保存部２２０に保存されるが、ビデオをシームレスに再生するには、これらデータはプリローディングせねばならない。すなわち、情報保存媒体が再生装置に挿入されれば、初期アクセス時にプリローディングのようなメカニズムによって多重化されていないオーディオ、サブピクチャー・ストリーム及び／またはインタラクティブ・グラフィック・ストリームを読込んでローカル保存部２２０にあらかじめ保存する。ローカル保存部２２０への保存は動映像の再生前に完了することが望ましい。
【００３４】
ローカル保存部２２０は情報保存媒体に記録されたデータのうち多重化されていないオーディオ及び／またはサブピクチャー・ストリームとインタラクティブ・グラフィック・ストリームが保存される部分である。本発明ではこのように多重化されていないデータのための別途の保存空間を用意することで動映像再生時に情報保存媒体用のピックアップ装置の頻繁なジャンプを防止できる。すなわち、動映像再生時に多重化されていないデータと共に再生する場合、多重化されたデータと多重化されていないデータとを２つの専用チャンネルに各々読込むことによって継続的な再生を保証する。ローカル保存部２２０は再記録可能な保存媒体として、ハードディスク、再記録可能な光学ディスク、フラッシュメモリなどを利用できる。
【００３５】
ローカル保存管理部２９０は前記ローカル保存部２２０に保存されたデータを管理するものであって、決まった容量を有するローカル保存部２２０に保存されたデータを所定の削除条件によって削除するか、他の保存装置に移して保存する等の機能を行う。すなわち、情報保存媒体が再生装置から排出される瞬間にローカル保存部２２０に記録されていたデータを削除するか、ユーザインターフェースを通じてユーザから命令を受けて削除するなどのデータ削除管理とローカル保存部２２０に記録されたデータのファイルシステムを管理するなどの機能を行う。
【００３６】
すなわち、メインストリームとは別途に多重化されていないストリームが存在するという情報が再生装置に伝えられれば、ローカル保存部２２０にこのような多重化されていないストリームを読込んだ後、データ処理部２３０及びデコーダ２５５を経て再生し始め、再生が完了してユーザにより情報保存媒体が再生装置から排出されれば、ローカル保存部２２０の特性によってローカル保存管理部２９０は次のような動作を行う。
【００３７】
第１に、ローカル保存部２２０が揮発性メモリである場合には情報保存媒体が再生装置から排出される時、ローカル保存部２２０に保存されていた多重化されていないストリームを全て削除する。
【００３８】
第２に、ローカル保存部が不揮発性メモリである場合にはローカル保存管理部２９０はローカル保存部２２０に保存されているデータを別途に保管するか否かをユーザインターフェースを通じてユーザに選択可能にし、ユーザの選択によって削除すべきデータは削除し、保存すべきデータはローカル保存部２２０内に仮想ファイルシステムや、またはその他のファイルシステムを通じて該当情報保存媒体の固有識別子をルートディレクトリとして保存する。
【００３９】
また、このように保存されたデータによって新しい情報保存媒体に含まれた追加ストリームを保存できなくなれば、ローカル保存管理部２９０がユーザインターフェースを提供し、ユーザがローカル保存部２２０に保存されたデータを削除可能にする。または所定時間以上経ったデータは自動的に削除させるなどの決まった規則によって古くなったファイルを削除して新たな追加ストリームを保存可能にする。
【００４０】
第１バッファ２３１はローカル保存部２２０からの多重化されていないオーディオ、サブピクチャー・ストリーム及び／またはインタラクティブ・グラフィック・ストリームをバッファリングする。第２バッファ２３２は情報保存媒体から読出された多重化されたＡＶストリームをバッファリングし、ＤＥＭＵＸ部２３３に伝達する。ＤＥＭＵＸ部２３３は多重化されたＡＶストリームをビデオストリーム、オーディオストリーム、サブピクチャー・ストリーム及びインタラクティブ・グラフィック・ストリームに分離する。このように分離されたそれぞれのストリームはサブピクチャーデコーダ２６０、オーディオデコーダ２７０、インタラクティブ・グラフィック・ストリームデコーダ及びビデオデコーダ２８０に伝えられてデコーディングされる。制御部２４０はユーザまたはプログラムによりオーディオ及び／またはサブピクチャーとインタラクティブ・グラフィック・ストリームの選択を行うために、第１スイッチ２５０ａ、第２スイッチ２５０ｂ及び第３スイッチ２５０ｃを制御する。そして、オーディオ、サブピクチャー・ストリーム及び／またはインタラクティブ・グラフィック・ストリームが含んでいるか、または参照している同期化情報によってビデオデータと同期されて再生されうるようにサブピクチャーデコーダ２６０、オーディオデコーダ２７０及びインタラクティブ・グラフィック・ストリームデコーダを制御する。
【００４１】
図３は、本発明の再生方法のフローチャートである。
【００４２】
情報保存媒体が再生装置に挿入されれば、多重化されていないオーディオストリーム及び／または多重化されていないサブピクチャー・ストリームとインタラクティブ・グラフィック・ストリームが存在するか否かを判断する（Ｓ３１０）。存在すると情報が読出されば、多重化されていないオーディオストリーム及び／または多重化されていないサブピクチャー・ストリームとインタラクティブ・グラフィック・ストリームを読出してあらかじめ保存する（Ｓ３２０）。これと共に多重化されているＡＶストリームを読出す（Ｓ３３０）。これをＤＥＭＵＸしてオーディオストリーム、サブピクチャー・ストリーム及びインタラクティブ・グラフィック・ストリームに分離する（Ｓ３４０）。そして、多重化されていないオーディオまたはサブピクチャー・ストリーム、インタラクティブ・グラフィック・ストリーム及びＤＥＭＵＸされたオーディオまたはサブピクチャー・ストリーム、インタラクティブ・グラフィック・ストリームを場合に応じて選択してデコーディングする（Ｓ３５０）。
【００４３】
このように再生が完了した後に、ローカル保存部にあらかじめ読出されて保存されているデータを他の保存場所に保存するか否かを判断する（Ｓ３６０）。保存命令を受ければローカル保存部外の他の場所にデータを保存し（Ｓ３７０）、そうでなければ削除する（Ｓ３８０）。次いで、情報保存媒体は再生装置から排出される（Ｓ３９０）。
【００４４】
また、本発明はコンピュータ可読記録媒体にコンピュータ可読コードとして具現しうる。コンピュータ可読記録媒体はコンピュータシステムによって読取れるデータが保存されるあらゆる種類の記録装置を含む。コンピュータ可読記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた転送）の形に具現されることも含む。またコンピュータ可読記録媒体は、ネットワークに連結されたコンピュータシステムに分散され、分散方式でコンピュータ可読コードが保存されて実行されうる。
【００４５】
以上、本発明についでその望ましい実施例を中心に説明した。当業者ならば、本発明が本発明の本質的な特性から外れない範囲で変形された形に具現されうることが理解できるであろう。したがって、開示された実施例は限定的な観点でなく、説明的な観点で考慮されねばならない。本発明の範囲は前述した説明でなく特許請求の範囲に示されており、それと同等な範囲内にある全ての違いは本発明に含まれるものと解釈されねばならない。
【産業上の利用可能性】
【００４６】
本発明はＡＶデータの転送、保存及び再生などの分野に用いられ、特に決まった多重化ビットレートでビデオの画質を最大限保持しつつも、できるだけ多数のオーディオ及び／またはサブピクチャー・ストリームを提供する分野に用いられ得る。
【図面の簡単な説明】
【００４７】
【図１】多重化していないオーディオストリーム及びサブピクチャー・ストリームの再生を説明するための図である。
【図２】本発明のＡＶデータ再生装置のブロック図である。
【図３】本発明のＡＶデータ再生方法のフローチャートである。
【符号の説明】
【００４８】
２１０    読出部
２２０    ローカル保存部
２３０    データ処理部
２３１    第１バッファ
２３２    第２バッファ
２３３    ＤＥＭＵＸ部
２４０    制御部
２５０ａ  第１スイッチ
２５０ｂ  第２スイッチ
２５０ｃ  第３スイッチ
２５５    デコーダ
２６０    サブピクチャーデコーダ
２７０    オーディオデコーダ
２７５    インタラクティブ・グラフィック・ストリームデコーダ
２８０    ビデオデコーダ
２９０    ローカル保存管理部
【図１】
2005117660.tif 000003
【図２】
2005117660.tif 000004
【図３】
2005117660.tif 000005